(57)【特許請求の範囲】
【請求項１】
紙又はプラスチックを主たる素材として形成された液体収納容器の注ぎ口に、該注ぎ口を覆ってこれを密封するように取り付けられる液体収納容器用プルタブにおいて、
前記プルタブは、シート状であってその周囲を連結部を残してリング状にカットすることによってその外側部分を取っ手部、内側部分を本体部とし、且つ該本体部中に前記連結部側から見て遠ざかる方向に凸状となり且つその形状が略台形状であってその略台形状の先端辺に幅広部を設けるようにカットすることによって係止片を形成し、さらにこの略台形状の係止片が前記本体部と連結している下端辺の両端部分に本体部を折り曲げる点線状のカット線を形成した折り曲げ部を設け、
さらに前記プルタブは、その連結部が前記液体収納容器の注ぎ口の外周近傍に位置した状態でその本体部によって前記注ぎ口を覆い、且つ該本体部の連結部と反対側の端部と前記係止片との間の面を前記液体収納容器表面に接着し、
前記取っ手部を引き上げて前記本体部が前記接着された面の縁部を支点にして引上げられた際に前記係止片が回動して液体収納容器の表面に係止されることを特徴とする液体収納容器用プルタブ。
【発明の詳細な説明】
【０００１】
【産業上の利用分野】
本発明は、液体収納容器の注ぎ口に取り付けられる液体収納容器用プルタブに関するものである。
【０００２】
【従来技術及び発明が解決しようとする課題】
従来、紙又はプラスチックを主たる素材として形成される液体収納容器には注ぎ口が設けられており、該注ぎ口にはフイルム状のシートや樹脂製のプルタブが取り付けられ密封されている。そしてその開封は、該シートやプルタブ全体を剥がし取ることによって行われる。
【０００３】
しかしながらシートやプルタブ全体を剥がし取ってしまうと、該シートやプルタブは液体収納容器とは別のゴミとなってしまい、これを安易に捨てることによってゴミ問題を招いてしまう恐れがあった。
【０００４】
これを防止するために、シートやプルタブの一部分のみを剥がすようにして、該シートやプルタブが液体収納容器から離脱しないように構成したものもある。
【０００５】
しかしながらこの場合、シート又はプルタブから手を離すと、該シート又はプルタブはそれ自身の復元力によって再び注ぎ口を塞いでしまうという不具合があった。
【０００６】
本発明は上述の点に鑑みてなされたものでありその目的は、プルタブが容器に残って別ゴミとならず、且つ容器に残ったプルタブが十分な開封状態を保ち、しかも構造が簡単で製造の容易な液体収納容器用プルタブを提供することにある。
【０００７】
【課題を解決するための手段】
上記問題点を解決するため本発明は、紙又はプラスチックを主たる素材として形成された液体収納容器の注ぎ口に、該注ぎ口を覆ってこれを密封するように取り付けられる液体収納容器用プルタブにおいて、前記プルタブは、シート状であってその周囲を連結部を残してリング状にカットすることによってその外側部分を取っ手部、内側部分を本体部とし、且つ該本体部中に前記連結部側から見て遠ざかる方向に凸状となり且つその形状が略台形状であってその略台形状の先端辺に幅広部を設けるようにカットすることによって係止片を形成し、さらにこの略台形状の係止片が前記本体部と連結している下端辺の両端部分に本体部を折り曲げる点線状のカット線を形成した折り曲げ部を設け、さらに前記プルタブは、その連結部が前記液体収納容器の注ぎ口の外周近傍に位置した状態でその本体部によって前記注ぎ口を覆い、且つ該本体部の連結部と反対側の端部と前記係止片との間の面を前記液体収納容器表面に接着し、前記取っ手部を引き上げて前記本体部が前記接着された面の縁部を支点にして引上げられた際に前記係止片が回動して液体収納容器の表面に係止されることを特徴とする。
【０００８】
【作用】
取っ手部を引き上げると、該取っ手部は連結部を支点にして持ち上がる。次にさらに取っ手部を引き上げると、本体部は接着された面の縁部を支点にして回動し持ち上がる。このとき注ぎ口が開口する。そして本体部が略直立するまで引上げられると、係止片の先端は本体部の面からその裏面側に回動して液体収納容器の表面に係止される。従ってこの状態で取っ手部から手を離しても、本体部は元の位置に戻ろうとせず、この位置に確実に保持される。
【０００９】
【実施例】
以下、本発明の実施例を図面に基づいて詳細に説明する。
〔第１参考例〕
図１は本発明の第１参考例にかかる液体収納容器用プルタブを示す図であり、同図（ａ）は斜視図、同図（ｂ）は平面図、同図（ｃ）は同図（ｂ）のＡ−Ａ側断面拡大図である。
【００１０】
同図に示すようにこのプルタブ１０は、紙又はプラスチックを主たる素材として形成された液体収納容器８０の上面板８１に設けた注ぎ口８３を覆うように取り付けられている。
【００１１】
ここで液体収納容器８０の注ぎ口８３には、その上面板８１の外周辺８２に向かって三角形状に突出する小突起部８５が設けられている。
【００１２】
一方プルタブ１０はその外形が略楕円状の樹脂製シートで形成されている。そしてその周囲を連結部２５を残してリング状にカットし（カット線２６）、その外側部分を取っ手部１５とし、内側部分を本体部３０として構成されている。なおカット線２６中の連結部２５と１８０°反対の位置には、微細な距離カットしない封止確認部２７が設けられている。
【００１３】
また該本体部３０中には前記連結部２５側から見て遠ざかる方向に凸状の円弧となるようにカットすることによって（カット線２８）、係止片３１が形成されている。該係止片３１の両端部には、該両端部を軸として本体部３０が容易に折れ曲がるように点線状のカット線からなる折り曲げ部３３が設けられている。
【００１４】
このプルタブ１０は、シートからその外形を打ち抜く工程と、プルタブ１０内に各カット線を設ける工程を一度のカット工程によって行うことによって容易に製造される。
【００１５】
そしてこのプルタブ１０は前記液体収納容器８０の上面板８１に取り付けられ、その本体部３０が液体収納容器８０の注ぎ口８３を覆うが、このとき連結部２５は前記注ぎ口８３の外周近傍の小突起部８５を設けた所に位置せしめられる。
【００１６】
そして本体部３０の連結部２５と反対側の端部と係止部３１の間の面３５（図１（ｂ）に点線の斜線で示す面）が前記液体収納容器８０の上面板８１に接着される。但し係止片３１両端の折り曲げ部３３から接着面３５の縁部３５ａの間の面３６，３６は接着されていない。
【００１７】
一方図１（ｃ）に示すように液体収納容器８０の内面と前記プルタブ１０下面の注ぎ口８３に面する面には、薄い樹脂製フイルム８７が密着して張り付けられている。
【００１８】
次にこのプルタブ１０の動作を説明する。ここで図２乃至図４はプルタブ１０の動作を示す図であり、それぞれ（ａ）は斜視図、（ｂ）は側断面図である。
【００１９】
すなわちまず図１に示す状態のプルタブ１０の封止確認部２７を設けた側の取っ手部１５を引き上げると、該封止確認部２７が切れて、図２に示すように連結部２５を支点にして持ち上がる。
【００２０】
ここで封止確認部２７は、プルタブ１０が未だ開封されていないことを容易に確認するために設けられているものであり、かいざん防止が図れる。
【００２１】
次にさらに取っ手部１５を引き上げると、図３に示すように接着面３５の縁部３５ａ，３５ａ（図１（ｂ）参照）を支点にして本体部３０が回動し持ち上がる。このときフイルム８７は本体部３０下面に張り付けられているので、注ぎ口８３の形状に剥ぎ取られ、該注ぎ口８３が開口する。なお本体部３０を持ち上げ始めたとき、その力は注ぎ口８３の小突起部８５に集中するので、該小突起部８５上のフイルム８７は容易に剥ぎ取られ、従って以後のフイルム８７の剥ぎ取りが容易且つスムーズに行える。
【００２２】
そして図３に示すように本体部３０が略直立するまで引上げられると、面３６，３６の部分が持ち上がることによって、係止片３１の先端は本体部３０の面からその裏面側に回動し、さらに図４に示すように、取っ手部１５を後方に引っ張って外周辺８２に係止させると、係止片３１はさらに回動してその先端が液体収納容器８０の上面板８１に当接する。従ってこの状態で取っ手部１５から手を離しても、本体部３０は元の位置に戻ろうとせず、この位置に確実に保持される。
【００２３】
なおこの参考例においては、取っ手部１５を外周辺８２に係止させた例を示したが、該外周辺８２に係止させず、取っ手部１５の先端が上面板８１上に当接するようにしても良い。
【００２４】
次に図５は本発明の第２参考例にかかる液体収納容器用プルタブを示す図であり、同図（ａ）は平面図、同図（ｂ）はプルタブ１０′のみを示す斜視図、同図（ｃ）はプルタブ１０′を開封したときの状態を示す側面図、同図（ｄ）はそのときのプルタブ１０′の状態を示す斜視図である。なお前記第１参考例と同一部分には同一符号を付してその詳細な説明は省略する。
【００２５】
この参考例において前記第１参考例と相違する点は、係止片３１′の部分のみである。即ち図５（ａ），（ｂ）に示すように係止片３１′は、その中央の凸部２５ａが角状となるように形成されている。またこの係止片３１′中には該係止片３１′の角状の凸部２５ａが容易に折れ曲がるようにカット線からなる折り曲げ部３７が設けられている。このとき接着面３５の縁部３５ａは該折り曲げ部３７と同一直線上にあるようにする。
【００２６】
そして前記第１参考例と同様に、このプルタブ１０′の取っ手部１５を引き上げることによって本体部３０を引き上げ、さらに取っ手部１５を同図（ｃ）に示すように後方に引っ張って外周辺８２に係止させる。このとき係止片３１′の凸部２５ａはカット線３７で折れ曲がりながら回動し、液体収納容器８０の上面板８１上に係止される。これによって本体部３０は折り曲げた位置に確実に保持される。
【００２７】
この参考例の場合、係止片３１′の凸部２５ａが折れ曲がることによって、本体部３０を前記第１参考例よりもさらに倒した状態に保持できる。
【００２８】
次に図６は本発明の実施例にかかる液体収納容器用プルタブを示す図であり、同図（ａ）は平面図、同図（ｂ）はプルタブ１０″のみを示す斜視図、同図（ｃ）はプルタブ１０″を開封したときの状態を示す側面図、同図（ｄ）はそのときのプルタブ１０″の状態を示す斜視図である。なお前記第１参考例と同一部分には同一符号を付してその詳細な説明は省略する。
【００２９】
この実施例においても前記第１参考例と相違する点は、係止片３１″の部分のみである。即ち図６（ａ），（ｂ）に示すように係止片３１″は、その形状が略台形状であってその略台形状の先端辺に幅広部４３を設けて形成されている。またこの略台形状の係止片３１″が前記本体部と連結している下端辺の両端部分に本体部を折り曲げる点線状のカット線を形成した折り曲げ部３３，３３が２重に設けられている。また接着面３５の縁部３５ａは幅広部４３の先端辺と同一直線上にあるようにする。
【００３０】
そして前記第１参考例と同様に、このプルタブ１０″の取っ手部１５を引き上げることによって本体部３０を引き上げ、さらに取っ手部１５を同図（ｃ）に示すように後方に引っ張って液体収納容器８０に係止させれば、本体部３０は２重のカット線３３，３３で折れ曲がり、且つ同時に係止片３１″の先端の幅広部４３は液体収納容器８０の上面板８１上に係止される。
【００３１】
この実施例の場合、２重のカット線３３，３３によって本体部３０が折れ曲げられるので、本体部３０を前記第１参考例よりもさらに倒した状態に保持できる。また係止片３１″の先端に幅広部４３を設けたので、その分本体部３０″を確実に保持できる。
【００３２】
なお注ぎ口８３を封止する構造は、上記構造に限定されるものではなく、例えば図７に示すように注ぎ口８３の部分に液体収納容器８０のカットした部分８９を残しておいても良く、また図示しないが、樹脂製フイルム８７を設けずに直接液体収納容器８０の注ぎ口８３の上面外周部分とプルタブの下面を接着しても良いなど、従来提案されている種々の封止構造が適用可能である。
【００３３】
【発明の効果】
以上詳細に説明したように、本発明にかかる液体収納容器用プルタブによれば、以下のような優れた効果を有する。
(1) 液体収納容器の注ぎ口を開封した際、プルタブは液体収納容器に接続されたままなので、液体収納容器と別ゴミにならない。
【００３４】
(2) 開封後のプルタブはその開封状態を保ち、注ぎ口を塞ぐことはない。
【００３５】
(3) シートをカットするだけで製作できるので、その製造が容易である。
【図面の簡単な説明】
【図１】本発明の第１参考例にかかる液体収納容器用プルタブを示す図であり、同図（ａ）は斜視図、同図（ｂ）は平面図、同図（ｃ）は同図（ｂ）のＡ−Ａ側断面拡大図である。
【図２】プルタブ１０の動作を示す図であり、同図（ａ）は斜視図、同図（ｂ）は側断面図である。
【図３】プルタブ１０の動作を示す図であり、同図（ａ）は斜視図、同図（ｂ）は側断面図である。
【図４】プルタブ１０の動作を示す図であり、同図（ａ）は斜視図、同図（ｂ）は側断面図である。
【図５】本発明の第２参考例にかかる液体収納容器用プルタブを示す図であり、同図（ａ）は平面図、同図（ｂ）はプルタブ１０′のみを示す斜視図、同図（ｃ）はプルタブ１０′を開封したときの状態を示す側面図、同図（ｄ）はそのときのプルタブ１０′の状態を示す斜視図である。
【図６】本発明の実施例にかかる液体収納容器用プルタブを示す図であり、同図（ａ）は平面図、同図（ｂ）はプルタブ１０″のみを示す斜視図、同図（ｃ）はプルタブ１０″を開封したときの状態を示す側面図、同図（ｄ）はそのときのプルタブ１０″の状態を示す斜視図である。
【図７】他の注ぎ口８３の封止構造を示す側断面図である。
【符号の説明】
１０，１０′，１０″  プルタブ
１５  取っ手部
２５  連結部
３０  本体部
３１，３１′，３１″  係止片
８０  液体収納容器
８３  注ぎ口
【図１】
0003596684.tif 000002
【図２】
0003596684.tif 000003
【図３】
0003596684.tif 000004
【図４】
0003596684.tif 000005
【図５】
0003596684.tif 000006
【図６】
0003596684.tif 000007
【図７】
0003596684.tif 000008